(57)【要約】【課題】実釣時において、ルアーアクション操作を支障無く行なえると共に、手の大きさに関係なく、操作し易い構成の魚釣用リールを提供することを目的とする。【解決手段】本発明の魚釣用リールは、リール本体１に設けられたスプール７に、リール本体１の側部に設けられたハンドル５の回転操作で釣糸を巻回する構成において、ハンドル５の回転操作で連動回転する駆動軸４１に一方向クラッチ５０を介して釣糸巻取り用の補助操作部材を設け、釣竿を保持した手の指で操作可能な位置に補助操作部材の操作部４０ｂを設けて操作部４０ｂの操作によってスプール７に釣糸を補助的に巻回可能とすると共に、操作部４０ｂの操作位置を調整可能としたことを特徴とする。【選択図】    図２
2005176651.tif 000002
【特許請求の範囲】
【請求項１】
リール本体に設けられたスプールに、リール本体の側部に設けられたハンドルの回転操作で釣糸を巻回する魚釣用リールにおいて、
前記ハンドルの回転操作で連動回転する回転体に一方向クラッチを介して釣糸巻取り用の補助操作部材を設け、
釣竿を保持した手の指で操作可能な位置に前記補助操作部材の操作部を設けて前記操作部の操作によって前記スプールに釣糸を補助的に巻回可能とすると共に、前記操作部の操作位置を調整可能としたことを特徴とする魚釣用リール。
【発明の詳細な説明】
【技術分野】
【０００１】
本発明は、リール本体の側板間に釣糸が巻回されるスプールを回転自在に支持した魚釣用リールに関し、特に、スプールに釣糸を補助的に巻回可能に構成した魚釣用リールに関する。
【背景技術】
【０００２】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行ない、魚のヒッティングを待つことになる。
【０００４】
上記した構成の魚釣用リールでルアーフィッシングを行なう場合、釣人は、上記したルアーアクション操作を、リールを握持保持した手によるロッド操作と、反対側の手による巻取り回転操作とを使い分けて行なわなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行なえない。
【０００５】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００６】
そこで、本件発明者は、例えば、特許文献３等において、リール本体に、釣竿を保持している手の指で操作可能な操作部材を設け、この操作部材の操作部を操作することで、釣糸をスプールに補助的に巻回できる構成の魚釣用リールを提案している。このような魚釣用リールによれば、釣人は、実釣時において釣竿を保持している側の手で補助操作部材の操作部を操作することで、釣糸を補助的にスプールに巻回できるので、ルアーアクション操作を支障無く行なうことが可能になる。
【特許文献１】特開平５−１０３５６８号
【特許文献２】特開平１１−４２０３２号
【特許文献３】特願２００２−３０９４８９号
【発明の開示】
【発明が解決しようとする課題】
【０００７】
上記した先行技術のような魚釣用リールによれば、ルアーアクション操作の向上が図れるものの、釣人の手の大きさは千差万別であることから、ある釣人にとっては、更に、操作性の向上を望む場合があると考えられる。
【０００８】
本発明は、ルアーアクション操作を支障無く行なえるように構成した魚釣用リールに関し、更に、釣人の手の大きさの相違に着目してなされたものであり、実釣時において、手の大きさに関係なく、操作し易い構成の魚釣用リールを提供することを目的とする。
【課題を解決するための手段】
【０００９】
上記した目的を達成するために、本発明は、リール本体に設けられたスプールに、リール本体の側部に設けられたハンドルの回転操作で釣糸を巻回する魚釣用リールにおいて、前記ハンドルの回転操作で連動回転する回転体に一方向クラッチを介して釣糸巻取り用の補助操作部材を設け、釣竿を保持した手の指で操作可能な位置に前記補助操作部材の操作部を設けて前記操作部の操作によって前記スプールに釣糸を補助的に巻回可能とすると共に、前記操作部の操作位置を調整可能としたことを特徴とする。
【００１０】
上記した構成の魚釣用リールによれば、キャスティング操作を行った後、そのまま釣竿と共に保持している手の指で、補助操作部材の操作部を操作することで、釣糸を補助的にスプールに巻回させることが可能となる。すなわち、釣竿を操作する腕の伸縮状態や、その腕の手首の状態に何等影響を受けることなく、キャスティング操作した後、釣竿及びリール本体を一体的に保持している側の手の指の操作で、容易かつ微妙な釣糸の巻取り操作が行なえるようになる。しかも、このような操作部の操作位置は調整することが可能であることから、釣人の手の大きさに応じて、最も操作し易い位置に設定しておくことが可能となる。
【発明の効果】
【００１１】
本発明の魚釣用リールによれば、釣人の手の大きさに関係なく、補助操作部材の操作部の位置調整を行なうことで、リールを安定して保持した状態を維持しながら、ルアーアクション操作を迅速かつ容易に行なえるようになる。
【発明を実施するための最良の形態】
【００１２】
以下、本発明に係る魚釣用リールの実施形態について、添付図面を参照して具体的に説明する。  
図１〜図４は、本発明に係る魚釣用リールの第１の実施形態を示す図であり、図１は平面図、図２は補助操作部材の部分を切欠いて示す部分断面平面図、図３は側板を外してハンドル側から見た側面図、図４は図１のＡ−Ａ線に沿った断面図である。
【００１３】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が回転可能に支持されている。
【００１４】
左右側板３ａ，３ｂ間には、釣糸が巻回されるスプール７が取り付けられたスプール軸８が回転可能に支持されており、スプール７は、前記ハンドル軸６に取り付けられている駆動歯車１０及びスプール軸８に継脱可能に支持されているピニオン１２を具備した巻取り駆動機構１３を介して、ハンドル５の回転操作によって回転駆動されるように構成されている。また、左右側板３ａ，３ｂ間には、スプール軸８よりも前方側で、かつ上方側に、リール本体を握り込んだ際、親指が載置できるように指当て部材（サムレスト）１５が配置されている。
【００１５】
前記ハンドル軸６には、スプール７に対する制動力を調節する公知のドラグ機構を操作するための回転体１６（ドラグ調節体）が設けられており、この回転体１６を回転操作することによって、釣糸繰出時のスプール回転に所望の制動力が付与されるようになっている。また、前記ピニオン１２には、公知のクラッチ機構１７が係合しており、スプール後方のクラッチレバー１８を押し下げることでスプール軸８との継合を解除してクラッチＯＦＦ（スプールフリー状態）とし、ハンドル５を巻取り操作することで、公知の復帰機構１９を介してクラッチＯＦＦからクラッチＯＮ（スプール回転状態）に自動復帰できるようになっている。
【００１６】
前記巻取り駆動機構１３には、歯車伝達機構２０が連結されており、後述する補助操作部材を操作することで、歯車伝達機構２０を介してスプールを補助的に巻取り操作できるように構成されている。本実施形態における歯車伝達機構２０は、前記駆動歯車１０と隣接するようにハンドル軸６に取り付けられた歯車２１と、この歯車２１に噛合すると共にスプール７に釣糸を平行に巻回するよう左右に往復動する公知のレベルワインド装置３０を構成する駆動軸３１の端部に取り付けられた歯車２２と、右フレーム２ｂに一体回転可能に併設支持された歯車２３，２４とを備えている。なお、前記歯車２２は、併設された歯車の内、ハンドル側の歯車２３に噛合している。
【００１７】
前記左右側板３ａ，３ｂ間には、指当て部材１５に親指を載置した際、その指で操作可能な位置に補助操作部材４０が回動可能に支持されている。本実施形態の補助操作部材４０は、各フレーム２ａ，２ｂ間に軸受３８，３９を介して回転可能、かつ指当て部材１５の後端縁に沿うように支持された駆動軸４１に取り付けられており、駆動軸４１を囲繞するように配設される基部４０ａと、この基部４０ａから軸方向に亘って径方向に突出する操作部４０ｂとを備え、基部４０ａにピン４２を嵌め込むことで駆動軸４１に固定されている。この場合、操作部４０ｂは、指当て部材１５の表面から上方に向けて突出した状態で位置決め保持されており、指当て部材１５に親指を載置した状態で、その指の腹部で回動操作できるようになっている。
【００１８】
なお、操作部４０ｂの形状、配置箇所などについては、特に限定されることはないが、図に示すように、斜め後方に向けて突出するように配置しておくことで、より回動操作が行ない易くなる。また、基部４０ａは、左右フレーム間において、指当て部材１５の後端縁の略全体と重なる程度の幅広に形成することで、リール本体１を保持した手の親指操作時の操作面が大きく取れ、補助操作部材４０の親指移動による操作性も向上する。さらに、補助操作部材の操作部４０ｂは、基部４０ａより先端部が先細状となるように形成しておくことで、糸絡みを効果的に防止することが可能となる。
【００１９】
前記駆動軸４１の一端は、右フレーム２ｂからハンドル側に突出しており、その突出端には、一方向クラッチ５０を介在させて前記歯車２４と噛合する歯車４５が取り付けられている。この場合、一方向クラッチ５０は、右側板側に設けられた一方向クラッチ収容部５１内に収容されており、図５に示すように、歯車４５に嵌合される外輪５２と、複数のコロ５３及びこれを保持する保持器５４とを備えており、各コロ５３は、保持器５４との間に介在されたバネ部材５５の付勢力によって外輪５２の楔領域に付勢されている。
【００２０】
また、前記駆動軸４１の他端は、左フレーム２ａから突出しており、その突出端には、補助操作部材４０の操作部４０ｂの角度を調整可能な調整機構６０が配設されている。  
ここで、図６〜図９を参照して、調整機構６０の構成を説明する。
【００２１】
調整機構６０は、前記駆動軸４１を回転可能に支持する軸受３８に一体形成された支持板６１を具備している。この支持板６１は、駆動軸４１に対して下方に垂下する略長方形状に構成されており、左フレーム２ａの表面に沿って駆動軸４１を中心として回動可能となっている。支持板６１の下端部には、円弧状の長孔６１ａと、フレーム２ａ側に向けて突設された突部６１ｂが形成されており、この突部６１ｂは、フレーム２ｂに所定間隔（例えば、５°間隔）をおいて円弧状に複数形成された位置決め凹部（操作部用の角度調整部）２ｄのいずれかに係合されるようになっている。
【００２２】
前記長孔６１ａに対しては、支持板止めネジ６２がフレーム２ａのネジ孔２ｅに螺入されるようになっており、支持板６１をフレーム２ａに押さえ付けて位置決めするようになっている。すなわち、支持板止めネジ６２を緩めることで、突部６１ｂと凹部２ｄの係合を解除して支持板６１を長孔６１ａに沿って回動させることが可能となり、所定の位置で突部６１ｂと凹部２ｄを係合させて支持板止めネジ６２を締め付けることで、支持板６１の回動位置を調整することが可能となっている。
【００２３】
前記駆動軸４１の端面には、止めネジ６５を介してアーム部材６６が回り止め固定されており、このアーム部材６６は、駆動軸４１の回動（補助操作部材４０の操作部４０ｂの回動操作）と共に、一体的に回動可能となっている。また、前記支持板６１の表面には、バネ係止突部６１ｃが突設されており、前記アーム部材６６の先端との間で付勢バネ６７を配設し、アーム部材６６を止めネジ６５を中心として反時計回り方向に付勢している。なお、支持板６１の表面には、ストッパ６８が突設されており、アーム部材６６の反時計回り方向の回動、すなわち、操作部４０ｂの反時計回り方向の回動を規制して、操作部４０ｂの初期位置での傾斜角度を特定している。
【００２４】
この結果、図８に示すように、支持板６１を、実線で示す位置から支持板止めネジ６２を緩めて２点鎖線位置に回動させて、支持板止めネジ６２を締め付け、その位置を固定することで、操作部４０ｂの初期位置をＰからＰ１の位置に調整することが可能となる。すなわち、支持板６１の固定位置を変えることにより、操作部４０ｂの初期位置における傾斜角度を調整することが可能となる。この場合、操作部４０ｂは、調整された初期位置から、付勢バネ６７の付勢力に抗して矢印方向に回動操作される。なお、フレーム２ａには、回動規制ピン２ｆが突設されており、アーム部材６６に当て付いて操作部４０ｂの反対側の回動位置を規制している。
【００２５】
上記した構成において、図１０に示す状態から図１１に示すように、補助操作部材４０の操作部４０ｂを前記付勢バネ６７の付勢力に抗して後方に回動（倒伏）操作すると、駆動軸４１は、図５において反時計回りに回転されることから、一方向クラッチ５０の各コロ５３が楔領域に押し付けられて、その回転は、そのまま歯車４５に伝達される。そして、この歯車４５の回転は、上記した歯車伝達機構２０を介して巻取り駆動機構１３の駆動歯車１０に伝達されるようになり、ハンドル５を釣糸巻取り方向に回転させて釣糸をスプールに補助的に巻回する。一方、ハンドル５を釣糸巻取り方向に回転操作すると、その回転は歯車伝達機構２０を介して歯車４５に伝達されるものの、図５において、歯車４５は反時計回りに回転して各コロ５３がフリー回転領域に移動することから、その回転が駆動軸４１（補助操作部材４０）に伝達されることはない。
【００２６】
すなわち、前記クラッチ機構１７をスプールフリー状態に切換えてキャスティング操作を行った後、ルアーアクションを行なうに際して、釣竿と共にリール本体の反ハンドル側側板３ａを握持保持している手の指（親指）で操作部４０ｂを付勢バネ６７の付勢力に抗して回動操作（倒伏操作）することで、前記一方向クラッチ５０を介して、その回動力がハンドル軸６に伝達されることから、前記復帰機構１９を介してクラッチ機構１７がスプールフリー状態から巻取り状態に切換えられると共に、そのまま連続してスプール７の微妙な巻取り操作（巻取り補助操作）が行なえるようになる。換言すれば、釣竿を操作する腕の伸縮状態や、その腕の手首の状態に何等影響を受けることなく、リール本体１を握持保持している手の指による操作で、安定した保持状態を維持しながら微妙な釣糸の巻取り操作が迅速且つ容易に行なえるようになる。
【００２７】
そして、上記したような調整機構６０を配設したことにより、釣人の手の大きさに合わせて支持板６１の固定位置を変えることで、操作部４０ｂの初期位置における傾斜角度を調整することが可能となり、手の大きさに関係なく、操作部４０ｂを最も操作し易い位置に設定しておくことが可能となる。
【００２８】
また、上記した構成では、操作部４０ｂを指当て部材１５の後方側でレバー形状に形成したことから、釣竿を保持した手の指が優しくフィットすることができ、回動操作が容易に行なえるようになる。また、補助操作部材４０の駆動軸４１と歯車４５との間には、一方向クラッチ５０が介在しているため、ハンドル５を巻取り操作してスプール７に釣糸を巻回する時には、補助操作部材４０が連動することはなく、かつ図１１に示すように補助操作部材の操作部４０ｂを押込んでいても、一方向クラッチ５０の作用で、ハンドル回転による巻取り操作を支障なく行なえる。すなわち、リールの保持操作、スプールによる補助巻取り操作、及び指当て部材に親指を当接した状態でのハンドルの巻取り操作、の一連の複合操作が支障なく行なえる。
【００２９】
上記した調整機構６０は、補助操作部材の実際に操作される部分（操作部４０ｂ）の位置を調整できるように構成されていれば、種々変形することが可能である。例えば、配設される箇所や操作部の初期設定位置を特定する構成、及びその初期設定位置を変化させる具体的な構成については、補助操作部材の配設される位置や操作部の形状、操作方向に応じて適宜変形される。また、上記した操作部４０ｂを付勢する付勢バネ６７は、調整機構を構成する支持板６１に設けることなく、操作部材４０の基部４０ａとフレーム２ａ間に配設しても良い。
【００３０】
また、例えば、図１２に示すように、支持板６１は、軸受３８と一体化することなく、別体として構成しても良いし、支持板６１の回動防止のための手段として、突部と凹所の係合にするのではなく、フレーム２ａの表面に粗面化された領域２ｆを形成しておき、支持板６１の位置を固定するような構成であっても良い。このような構成によれば、操作部４０ｂの初期位置を無段階に調整することができ、より操作性の向上が図れる。
【００３１】
さらに、上述した一方向クラッチ５０は、ハンドル５を巻取り駆動した際に回転駆動される各所の回転体上に設けることが可能であり、補助操作部材４０は、一方向クラッチ５０が配設される回転体とは異なる回転体（歯車等）に配設されていても良い。また、補助操作部材４０の操作部４０ｂは、リール本体１を保持した手の指で操作可能な位置に設けられていれば、リール本体の適所に設けることが可能である。
【図面の簡単な説明】
【００３２】
【図１】本発明に係る魚釣用リールの第１の実施形態を示す平面図。
【図２】補助操作部材の部分を切欠いて示す部分断面平面図。
【図３】側板を外してハンドル側から見た側面図。
【図４】図１のＡ−Ａ線に沿った断面図。
【図５】一方向クラッチの拡大図。
【図６】補助操作部材の操作部の角度を調整可能な調整機構を説明する図であり、補助操作部材の支持部領域を示す部分断面平面図。
【図７】左側板側から見た調整機構の概略図。
【図８】図７の主要部の拡大図。
【図９】図６の主要部の拡大図。
【図１０】操作部材の操作部を倒伏操作する前の状態を示す図。
【図１１】操作部材の操作部を倒伏操作した際の状態を示す図。
【図１２】調整機構の変形例を示す図。
【符号の説明】
【００３３】
１  リール本体
３ａ，３ｂ  側板
５  ハンドル
７  スプール
２０  歯車伝達機構
４０  補助操作部材
４０ｂ  操作部
４１  駆動軸（回転体）
５０  一方向クラッチ
６０  調整機構
【図１】
2005176651.tif 000003
【図２】
2005176651.tif 000004
【図３】
2005176651.tif 000005
【図４】
2005176651.tif 000006
【図５】
2005176651.tif 000007
【図６】
2005176651.tif 000008
【図７】
2005176651.tif 000009
【図８】
2005176651.tif 000010
【図９】
2005176651.tif 000011
【図１０】
2005176651.tif 000012
【図１１】
2005176651.tif 000013
【図１２】
2005176651.tif 000014